(57)【要約】【課題】３つのヘルムホルツ吸音器（１３１、１３２、１３３）におけるそれぞれの共鳴通路の入口で発生する笛音様騒音による騒音の増大を回避しつつ、笛音様騒音を低減するための新たなヘルムホルツ吸音器を設けることによるコストアップを回避する。【解決手段】光走査装置４７の筐体内でポリゴンスキャナー１２０を収容しているポリゴン収容空間と、筐体内で３つのヘルムホルツ吸音器（１３１、１３２、１３３）を収容しているヘルムホルツ収容空間とを、仕切り壁１２５ｃによって仕切ることで、それら２つの収容空間を互いに連通しない空間にした。これにより、ポリゴン収容空間からヘルムホルツ収容空間への気流の進入を防ぐことで、笛音様騒音による騒音の増大を回避しつつ、笛音様騒音を低減するための新たなヘルムホルツ吸音器を設けることによるコストアップを回避することができる。【選択図】図４
2015215534.tif 000002
【特許請求の範囲】
【請求項１】
駆動源によって駆動した偏向鏡により、光源から発せられる光の進行方向を偏向する偏向手段と、前記偏向手段から発せられる騒音を低減するための共鳴空間、及び前記共鳴空間の外から中に騒音を導くために前記共鳴空間に連通する共鳴通路を具備する共鳴器と、前記偏向手段及び前記共鳴器を収容する筺体とを有し、前記偏向手段で偏向せしめた光によって走査対象を光走査する光走査装置において、
前記筐体内で前記偏向手段を収容している空間である偏向手段収容空間と、前記筐体内で前記共鳴器を収容している空間である共鳴器収容空間とを仕切り壁によって仕切り、前記偏向手段収容空間内で発生した騒音を前記仕切り壁と前記偏向器収容空間内の空隙とを介して、前記共鳴器の共鳴通路の入口に到達させるようにしたことを特徴とする光走査装置。
【請求項２】
請求項１に記載の光走査装置において、
前記筐体内で前記偏向手段を収容している空間と、前記筐体内で前記共鳴器を収容している空間とを互いに連通しない空間にしたことを特徴とする光走査装置。
【請求項３】
請求項２に記載の光走査装置において、
前記筐体の立ち上がり壁の一部を、前記共鳴器の立ち上がり壁として兼用したことを特徴とする光走査装置。
【請求項４】
請求項２又は３に記載の光走査装置において、
前記筐体のリブ部材を、前記共鳴器の立ち上がり壁として兼用したことを特徴とする光走査装置。
【請求項５】
請求項２乃至４の何れかに記載の光走査装置において、
前記筐体として、保守点検用の開口を具備する本体部、及び本体部の前記開口を閉じる蓋部材を有するものを用い、
且つ、前記蓋部材と、前記共鳴器の立ち上がり壁との間に介在する弾性変形可能なシール部材を設けたことを特徴とする光走査装置。
【請求項６】
請求項１乃至５の何れかに記載の光走査装置において、
前記共鳴器として、互いに共鳴周波数の異なる複数の共鳴器を設けるとともに、前記筐体内でそれら全ての共鳴器を収容している空間と、前記筐体内で前記偏向手段を収容している空間とを前記仕切り壁によって仕切ったことを特徴とする光走査装置。
【請求項７】
請求項６に記載の光走査装置において、
複数の共鳴器について、前記共鳴空間の体積、前記共鳴通路の断面積、及び前記共鳴通路の長さのうち、少なくとも１つを互いに異ならせたことを特徴とする光走査装置。
【請求項８】
感光体と、光走査によって前記感光体に潜像を形成する光走査手段と、前記潜像を現像する現像手段とを備える画像形成装置において、
前記光走査手段として、請求項１乃至７の何れかに記載の光走査装置を用いたことを特徴とする画像形成装置。
【請求項９】
請求項８に記載の画像形成装置において、
前記偏向手段と、画像形成装置の外装カバーに設けられた通気用開口との間に、前記共鳴器を介在させたことを特徴とする画像形成装置。
【発明の詳細な説明】
【技術分野】
【０００１】
本発明は、駆動源によって駆動した偏向鏡により、光源から発せられる光の進行方向を偏向する偏向手段を有し、この偏向手段によって偏向せしめた光によって走査対象を光走査する光走査装置やこれを搭載した画像形成装置に関するものである。
【背景技術】
【０００２】
従来、この種の光走査装置に用いられる偏向手段として、特許文献１に記載の光偏向器が知られている。この光偏向器は、駆動源たる駆動モーターによって回転させた偏向鏡としての正六角柱状の多面鏡により、レーザー光源から発せられるレーザー光の進行方向を偏向する。かかる構成では、回転する多面鏡による風切り音が騒音となってしまう。この風切り音を低減するために、特許文献１に記載の光偏向器においては、多面鏡の風切り音の周波数と同じ共振周波数で共鳴する共鳴箱を、多面鏡や駆動モーターを保持するハウジングに一体に設けている。そして、回転する多面鏡から発生する風切り音を、共鳴器としての共鳴箱の共鳴によって減衰させることで、風切り音による騒音の発生を抑えることができる。
【発明の概要】
【発明が解決しようとする課題】
【０００３】
しかしながら、この光偏光器においては、多面鏡の回転に伴って発生する気流が、共鳴箱の共鳴空間に音を導くための共鳴通路の入口に当たることで、笛音のような新たな騒音（以下、笛音様騒音という）を発生させてしまうおそれがあった。この笛音様騒音も低減するために、笛音様騒音の周波数と同じ共振周波数の共鳴箱を新たに設置すると、コストアップを引き起こしてしまう。
【０００４】
本発明は、以上の背景に鑑みてなされたものであり、その目的とするところは、次のような光走査装置や、これを備える画像形成装置を提供することである。即ち、共鳴器の共鳴通路の入口で発生する笛音様騒音による騒音の増大を回避しつつ、笛音様騒音を低減するための共鳴器を新たに設けることによるコストアップを回避することができる光走査装置等である。
【課題を解決するための手段】
【０００５】
上記目的を達成するために、本発明は、駆動源によって駆動した偏向鏡により、光源から発せられる光の進行方向を偏向する偏向手段と、前記偏向手段から発せられる騒音を低減するための共鳴空間、及び前記共鳴空間の外から中に騒音を導くために前記共鳴空間に連通する共鳴通路を具備する共鳴器と、前記偏向手段及び前記共鳴器を収容する筺体とを有し、前記偏向手段で偏向せしめた光によって走査対象を光走査する光走査装置において、前記筐体内で前記偏向手段を収容している空間である偏向手段収容空間と、前記筐体内で前記共鳴器を収容している空間である共鳴器収容空間とを仕切り壁によって仕切り、前記偏向手段収容空間内で発生した騒音を前記仕切り壁と前記偏向器収容空間内の空隙とを介して、前記共鳴器の共鳴通路の入口に到達させるようにしたことを特徴とするものである。
【発明の効果】
【０００６】
本発明によれば、共鳴器の共鳴通路の入口で発生する笛音様騒音による騒音の増大を回避しつつ、笛音様騒音を低減するための新たに共鳴器を設けることによるコストアップを回避することができるという優れた効果がある。
【図面の簡単な説明】
【０００７】
【図１】実施形態に係る複写機を示す概略構成図。
【図２】同複写機のポリゴンモーターやポリゴンミラーを３４０００ｒｐｍの速度で回転させた時に発生する騒音の測定結果を示すグラフ。
【図３】同複写機の光走査装置を示す平面図。
【図４】蓋部材を取り外した状態の同光走査装置を示す分解平面図。
【図５】図４のＡ−Ａ’破断線の位置で破断された光走査装置の破断部を示す斜視図。
【図６】同破断部を示す正面図。
【図７】蓋部材を取り外した状態の同破断部を示す平面図。
【図８】同破断部を側方から示す斜視図。
【図９】同複写機の一部を示す部分分解斜視図。
【図１０】同一部を他の方向から示す部分分解斜視図。
【発明を実施するための形態】
【０００８】
以下、本発明を適用した画像形成装置の一例として、複写機５００の一実施形態について説明する。なお、実施形態に係る複写機５００は、モノクロ画像だけを形成するものであるが、フルカラー画像のような多色画像を形成する画像形成装置にも本発明の適用が可能である。
【０００９】
まず、実施形態に係る複写機５００の基本的な構成について説明する。
図１は、実施形態に係る複写機５００を示す概略構成図である。この複写機５００は、プリンタ部１００、画像読取装置２００、記録シートバンク３００、自動原稿搬送装置４００などを備えている。プリンタ部１００は、記録シートバンク３００の真上に載置されており、プリンタ部１００の真上には画像読取装置２００が固定されている。そして、画像読取装置２００の真上には、自動原稿搬送装置４００が取り付けられており、背面側（図中紙面に直交する方向の裏側）に設けられた蝶番を支点にして回動することで、画像読取装置２００のコンタクトガラスに対して開閉する。
【００１０】
プリンタ部１００の内部には、潜像担持体としてドラム状の感光体１０、帯電装置１１、現像装置１２、転写ユニット１３、クリーニング装置１４、トナー補給装置２０、定着装置２２などが設けられている。トナー像が形成される感光体１０の回りには、帯電ローラを具備する帯電装置１１、現像装置１２、転写ユニット１３、クリーニング装置１４などが配設されている。これらのうち、感光体１０、帯電装置１１、現像装置１２及びクリーニング装置１４は、共通の保持体に保持された状態でプリンタ部１００に対して一体的に着脱されるプロセスカートリッジとして構成されている。
【００１１】
現像装置１２は、現像剤担持体としての現像ローラの表面に担持したトナーを用いて感光体１０上の静電潜像を現像して、感光体１０の表面上にトナー像を形成するものである。また、転写ユニット１３は、自らのループ内側に配設された転写下流側ローラ１５、転写上流側ローラ１６、これら２つのローラに張架されて図中時計回り方向に無端移動する転写ベルト１７などを有している。転写ベルト１７は、転写位置Ｂにおいて感光体１０の周面に当接して転写ニップを形成している。
【００１２】
帯電装置１１やクリーニング装置１４の図中左側には、現像装置１２に新しいトナーを補給するトナー補給装置２０が設けられている。また、プリンタ部１００の図中右側端部には、記録シートバンク３００の記録シートカセット６１から送り出された記録シートＰを、鉛直方向下方から上方に向けて搬送する記録シート搬送装置６０が設けられている。この記録シート搬送装置６０は、給紙路Ｒ１、給紙路Ｒ２を経た記録シートＰを、記録シート搬送路Ｒに沿って、転写位置Ｂと記録シート搬送路Ｒとに通した後にスタック部３９まで搬送する。記録シート搬送路Ｒにおける転写位置Ｂよりも搬送方向の上流側には、レジストローラ対２１が設けられている。また、転写位置Ｂよりも搬送方向の下流側には、定着装置２２が設けられている。
【００１３】
定着装置２２は、加熱部材である加熱ローラ３０と加圧部材である加圧ローラ３２とを当接させて定着ニップを形成しており、この定着ニップに挟み込んだ記録シートＰを加熱及び加圧して、トナー像を記録シートＰの表面に定着させる。定着装置２２よりも記録シート搬送方向下流側には、排出分岐爪３４、排出ローラ３５、第一加圧ローラ３６、第二加圧ローラ３７、コシ付ローラ３８などが配設されている。また、定着装置２２を経た画像定着済みの記録シートＰをスタックするスタック部３９も設けてられている。
【００１４】
現像装置１２の図中左側方には、光走査装置４７が配設されている。この光走査装置４７は、偏向鏡たるポリゴンミラー４８と駆動源たるポリゴンモーター４９とを具備する偏向手段としてのポリゴンスキャナー１２０を有している。また、図示しないレーザー光源や、ｆθレンズ１２２等の走査光学系も備えている。プリンタ部１００の図中右側方には、スイッチバック装置４２が設けられている。このスイッチバック装置４２は、記録シート搬送路Ｒの排出分岐爪３４が配置された位置から分岐した反転路Ｒ３と、記録シートＰを再び記録シート搬送路Ｒのレジストローラ対２１の位置まで導く再搬送路Ｒ４とに沿って記録シートＰを搬送する。反転路Ｒ３及び再搬送路Ｒ４には、一対のスイッチバックローラ対４３や、他の複数の記録シート搬送ローラ対６６などが配設されている。
【００１５】
画像読取装置２００は、読取光源５３、複数のミラー５４、結像用光学レンズ５５、ＣＣＤ等からなるイメージセンサ５６などを備えており、その上面にはコンタクトガラス５７が設けられている。また、自動原稿搬送装置４００には、図示しない原稿セット台や、原稿の排出位置として図示しない原稿スタック台などが設けられている。自動原稿搬送装置４００は、複数の原稿搬送ローラを具備しており、この原稿搬送ローラによって、原稿は、原稿セット台から画像読取装置２００のコンタクトガラス５７上の読取位置を経て原稿スタック台まで搬送する。
【００１６】
記録シートバンク３００の内部には、記録紙やＯＨＰフィルム等の記録シートＰを収納する記録シートカセット６１が複数重ねて設けられている。それぞれの記録シートカセット６１には、呼出ローラ６２、給紙ローラ６３及び分離ローラ６４が設けられている。
【００１７】
記録シートカセット６１の図中右側には、プリンタ部１００の記録シート搬送路Ｒへと通じる上述した給紙路Ｒ１が形成されている。この給紙路Ｒ１にも、記録シートＰを搬送するいくつかの記録シート搬送ローラ対６６が設けられている。また、記録シートバンク３００の図中右側方には、手差し給紙部６８が設けられている。この手差し給紙部６８には、手差しトレイ６７が開閉自在に設けられており、その手差しトレイ６７上にセットされた手差し記録シートＰを記録シート搬送路Ｒへと導く上述した手差し給紙路Ｒ２が形成されている。この手差し給紙部６８にも、記録シートカセット６１と同様に、呼出ローラ６２、給紙ローラ６３及び分離ローラ６４が設けられている。
【００１８】
複写機５００を用いてコピーをとる際には、まず、図示しないメインスイッチをオンにする。そして、綴じていない原稿の場合には、原稿を自動原稿搬送装置４００の原稿セット台にセットする。また、ブック原稿のような片綴じ原稿の場合には、自動原稿搬送装置４００を開いて画像読取装置２００のコンタクトガラス５７上に原稿をセットした後、自動原稿搬送装置４００を閉じて原稿をコンタクトガラス５７に押さえ付ける。そして、図示しないスタートスイッチを押すと、自動原稿搬送装置４００にセットされた原稿は、自動原稿搬送装置４００の原稿搬送ローラによって原稿搬送路内で搬送される過程でコンタクトガラス５７上を通過する。この際、画像読取装置２００によって原稿の画像が読み取られた後、原稿は自動原稿搬送装置４００の原稿スタック台上に排出される。一方、コンタクトガラス５７上に押し付けられた片綴じ原稿は、画像読取装置２００の駆動によって原稿画像が読み取られる。この際、画像読取装置２００は、読取光源５３をコンタクトガラス５７に沿って移動させながら、その読取光源５３からの光をコンタクトガラス５７上の原稿面に照射する。そして、その反射光を複数のミラー５４で結像用光学レンズ５５まで案内してイメージセンサ５６に入れ、そのイメージセンサ５６で原稿画像を読み取る。
【００１９】
原稿画像の読み取りが開始されると、プリンタ部１００は、図示しない感光体駆動モーターを駆動して感光体１０を図中反時計回り方向に回転させる。そして、帯電装置１１によって感光体１０の表面を一様に帯電せしめながら、帯電後の感光体１０の表面に対して光走査装置４７による光走査を行う。この光走査により、感光体１０の表面におけるレーザー光Ｌが照射された領域は、電位を減衰させて静電潜像になる。この静電潜像は、現像装置１２によってトナーが付着せしめられて可視像化されることで、トナー像になる。
【００２０】
一方、上述のスタートスイッチが押されたことをトリガーにして、記録シートバンク３００における複数の記録シートカセット６１のうち、予めユーザーに選択されたものが、呼出ローラ６２によって記録シートＰを送り出す。送り出された記録シートＰは、給紙ローラ６３と分離ローラ６４との当接による分離ニップを通過する際に一枚に分離され、その一枚が給紙路Ｒ１に案内された後に、記録シート搬送ローラ対６６によって記録シート搬送路Ｒへと導かれる。その後、レジストローラ対２１に突き当たって止められる。なお、ユーザーは、手差し給紙部６８を選択した場合には、広げた状態の手差しトレイ６７に記録シートＰをセットする。この場合、記録シートＰは、呼出ローラ６２によって送り出された後、給紙ローラ６３及び分離ローラ６４によって一枚に分離されて手差し給紙路Ｒ２に搬送される。その後、記録シート搬送ローラ対６６によって記録シート搬送路Ｒに導かれた後、レジストローラ対２１に突き当たって止められる。
【００２１】
このようにして、レジストローラ対２１に突き当たった記録シートＰは、レジストローラ対２１により、上述した転写ニップで感光体１０の表面上のトナー像と同期するタイミングで転写ニップ（転写位置Ｂ）に送り込まれる。そして、転写ユニット１３によって感光体１０上のトナー像が転写された後、転写ニップから排出される。
【００２２】
転写ニップを通過した感光体１０の表面には、転写残トナーが付着している。この転写残トナーは、クリーニング装置１４によって感光体１０の表面から除去される。クリーニング後の感光体１０の表面は、不図示の除電ランプによって除電された後、帯電装置１１によって再び一様に帯電せしめられる。
【００２３】
また、転写ニップを通過した記録シートＰは、転写ベルト１７によって搬送されて定着装置２２に送られる。そして、定着装置２２内において、加熱ローラ３０と加圧ローラ３２との当接による定着ニップに挟み込まれて加熱及び加圧されながら、その表面にトナー像が定着せしめられる。
【００２４】
このようにしてトナー像が定着せしめられた記録シートＰは、定着装置２２から排出された後、排出ローラ３５、第一加圧ローラ３６、第二加圧ローラ３７、コシ付ローラ３８を順次通過した後、スタック部３９上に排出されて、そこにスタックされる。
【００２５】
記録シートＰの両面に画像を形成する両面プリントモードが選択されている場合に、片面だけにトナー像が定着せしめられた記録シートＰは、定着装置２２を出ると、排出分岐爪３４によって反転路Ｒ３に導かれる。そして、記録シート搬送ローラ対６６によってスイッチバック位置４４に進入した後、スイッチバックローラ対４３によってスイッチバックされて、今度は再搬送路Ｒ４に導かれる。その後、記録シート搬送ローラ対６６によって再び記録シート搬送路Ｒに導かれた後、レジストローラ対２１を経由して転写ニップでもう一方の面にトナー像が転写される。その後は、片面プリントモードと同様にして、スタック部３９上に排出される。
【００２６】
光走査装置４７においては、ポリゴンモーター４９やポリゴンミラー４８を回転駆動させるポリゴンスキャナー１２０から、それらの回転周期に依存する特定の周波数にピークを持つ騒音が発生する。図２は、ポリゴンモーター４９や正六面体のポリゴンミラー４８を３４０００ｒｐｍの速度で回転させた時に発生する騒音の測定結果を示すグラフである。図示のように、ポリゴンスキャナー１２０から発生する騒音は、ポリゴンミラー４８の１回転成分（回転周波数）の音（摺動音）と、ポリゴンミラー４８の１面成分（１面周波数）の音（風切り音）とが主である。これらの音が、光走査装置４７内の空気中を伝播した後、光走査装置４７の筐体に伝搬してから、光走査装置４７の外部の空気に伝搬して騒音として認識される。３４０００ｒｐｍの条件では、１回転成分の騒音が周波数５６６［Ｈｚ］の音として発生し、且つ１面成分の騒音が周波数３４００［Ｈｚ］の音として発生する。
【００２７】
これらの騒音の対策として、光走査装置４７内の空間のうち、ポリゴンスキャナー１２０の収容空間を、他の空間から密閉した密閉空間にすることで、騒音をその密閉空間内に閉じ込める方法が考えられる。しかしながら、この方法では、ポリゴンモーター４９から発せられる熱により、密閉空間内の温度を過剰に上昇させて、過熱による種々の不具合を引き起こしてしまうおそれがある。
【００２８】
また、騒音の対策の別方法として、光走査装置４７の内部の全体を密閉空間にする方法が考えられる。しかしながら、この方法では、良好な密閉効果が得られず、ポリゴンスキャナー１２０から発せられる騒音を光走査装置４７の外部に多く漏らしてしまうおそれがある。
【００２９】
そこで、実施形態に係る複写機５００においては、光走査装置４７内に、共鳴器としてのヘルムホルツ吸音器を設け、このヘルムホルツ吸音器の共鳴により、ミラー１回転成分の騒音や、ミラー１面成分の騒音を低減するようになっている。
【００３０】
ヘルムホルツ吸音器は、内容量（Ｖ）の共鳴空間と、その共鳴空間を外部空間と連通させるための長さ（Ｌ）、断面積（Ｓ）の共鳴通路とを具備している。このヘルムホルツ吸音器の共鳴周波数ｆは、「ｆ＝（ｃ／２π）・（Ｓ／Ｖ・（Ｌ＋δ））１／２」という式によって表される。Ｖは共鳴空間の内容量、Ｌは共鳴通路の長さ、Ｓは共鳴通路の断面積、ｃは音速、δは開口端補正値である。開口端補正値δは、共鳴通路の入口近傍での共鳴の影響を補正するものであり、一般的には０．５前後を利用する。
【００３１】
ところが、このようなヘルムホルツ吸音器を設けた場合に、ポリゴンミラー４８の回転に伴って発生する気流が、ヘルムホルツ吸音器の共鳴通路の入口に当たることで、笛音のような笛音様騒音を発生させてしまうおそれがあった。この笛音様騒音も低減するために、笛音様騒音の周波数と同じ共振周波数のヘルムホルツ吸音器を新たに設置すると、コストアップを引き起こしてしまう。
【００３２】
次に、実施形態に係る複写機５００の特徴的な構成について説明する。
図３は、光走査装置４７を示す平面図である。光走査装置４７は、各種の機器を内包する筐体１２５を有しており、この筐体１２５は、保守点検用の大きな開口を具備する本体部と、その開口を綴じる蓋部材１２５ａとを具備している。図示しない本体部は、開口を鉛直方向上方に向けており、図示の蓋部材１２５ａはその大きな開口を覆うように、本体部の上部に係合している。同図の蓋部材１２５ａの下に、本体部や、本体部に内包される各種の機器が隠されている。
【００３３】
図４は、蓋部材を取り外した状態の光走査装置４７を示す分解平面図である。筐体１２５の本体部１２５ｂの中には、ポリゴンスキャナー１２０、レーザー光源１２７の光発射部１２７ａなどが配設されている。また、ｆθ補正機能及び面倒れ補正機能を併せ持った複合レンズ１２８、第１ヘルムホルツ吸音器１３１、第２ヘルムホルツ吸音器１３２、第３ヘルムホルツ吸音器１３３なども配設されている。
【００３４】
第１ヘルムホルツ吸音器１３１、第２ヘルムホルツ吸音器１３２、第３ヘルムホルツ吸音器１３３は、互いに異なる共振周波数ｆで共鳴するようになっている。何れか１つのヘルムホルツ吸音器の共振周波数ｆは、ポリゴンミラー４８の１回転周波数と同じになっている。また、他の２つのヘルムホルツ吸音器における一方の共振周波数ｆは、ポリゴンミラー４８の１面周波数と同じになっている。それぞれの共振周波数ｆは、共鳴通路（１３１ａ、１３２ａ、又は１３３ａ）の断面積Ｓ、共鳴通路の長さＬ、共鳴空間の内容量Ｖなどの大きさによって所望の値に調整されている。
【００３５】
ポリゴンスキャナー１２０を収容している偏向手段収容空間としてのポリゴン収容空間は、次に列記する複数の壁や蓋部材によって遮蔽されることで、周囲の空間から仕切られている。即ち、筐体１２５の本体部１２５ｂの底壁、本体部１２５ｂの左側壁１２５ｂ−２、本体部１２５ｂに一体形成された第１リブ壁１２５ｄ−１、第２リブ壁１２５ｄ−２、本体部１２５ｂに一体形成された仕切り壁１２５ｃ、及び蓋部材である。なお、同図では、蓋部材は取り外されているので示されていないが、これは図３に示されるように本体部に装着されることで、ポリゴン収容空間の天井壁となる。
【００３６】
図５は、図４のＡ−Ａ’破断線の位置で破断された光走査装置４７の破断部を示す斜視図である。また、図６は、同破断部を示す正面図である。また、図７は、蓋部材を取り外した状態の同破断部を示す平面図である。なお、図５や図７は、蓋部材を取り外した状態の同破断部を示しているのに対し、図６では蓋部材１２５ａを取り付けた状態の同破断部を示している。図６に示されるように、蓋部材１２５ａは、第１ヘルムホルツ吸音器１３１の第１共鳴通路１３１ａの上壁、第２ヘルムホルツ吸音器１３２の第２共鳴通路１３２ａの上壁、及び、第３ヘルムホルツ吸音器１３３の第３共鳴通路１３３ａの上壁を形成する。
【００３７】
図５、図６、図７において、第１ヘルムホルツ吸音器１３１の共鳴空間（以下、第１共鳴空間という）は、次に列記する複数の壁や蓋部材に囲まれている。即ち、筐体１２５の本体部１２５ｂの底壁、本体部１２５ｂの後壁１２５ｂ−１、本体部１２５ｂの左側壁１２５ｂ−２、本体部１２５ｂに一体形成された第５リブ壁１２５ｄ−５、本体部１２５ｂに一体形成された第６リブ壁１２５ｄ−６、及び蓋部材である。本体部１２５ｂの底壁は、第１共鳴空間の底壁を形成している。また、本体部１２５ｂの後壁１２５ｂ−１は、第１共鳴空間の後壁を形成している。また、本体部１２５ｂの左側壁１２５ｂ−２は、第１共鳴空間の左側壁を形成している。また、第５リブ壁１２５−５は、第１共鳴空間の前壁を形成している。また、第６リブ壁１２５ｄ−６は、第１共鳴空間の右側壁を形成している。また、図示しない蓋部材は、第１共鳴空間の天井壁を形成している。第５リブ壁１２５−５には、第１共鳴空間に通じる第１共鳴通路１３１ａとなる切り欠きが形成されていることから、第１共鳴空間は、第１共鳴通路１３１ａを通じて、前方に存在する空隙（以下、ヘルムホルツ前方空隙という）と繋がっている。
【００３８】
第２ヘルムホルツ吸音器１３２の共鳴空間（以下、第２共鳴空間という）は、次に列記する複数の壁や蓋部材に囲まれている。即ち、筐体１２５の本体部１２５ｂの底壁、本体部１２５ｂの後壁１２５ｂ−１、本体部１２５ｂに一体形成された第６リブ壁１２５ｄ−６、本体部１２５ｂに一体形成された第５リブ壁１２５ｄ−５、第４リブ壁１２５ｄ−４、及び蓋部材である。本体部１２５ｂの底壁は、第２共鳴空間の底壁を形成している。また、本体部１２５ｂの後壁１２５ｂ−１は、第２共鳴空間の後壁を形成している。また、第６リブ壁１２５ｄ−６は、第２共鳴空間の左側壁を形成している。また、第５リブ壁１２５−５は、第２共鳴空間の前壁を形成している。また、第４リブ壁１２５ｄ−４は、第２共鳴空間の右側壁を形成している。また、図示しない蓋部材は、第２共鳴空間の天井壁を形成している。第５リブ壁１２５−５には、第２共鳴空間に通じる第２共鳴通路１３２ａとなる切り欠きが形成されていることから、第２共鳴空間は、第２共鳴通路１３２ａを通じて、ヘルムホルツ前方空隙と繋がっている。
【００３９】
第３ヘルムホルツ吸音器１３３の共鳴空間（以下、第３共鳴空間という）は、次に列記する複数の壁や蓋部材に囲まれている。即ち、筐体１２５の本体部１２５ｂの底壁、本体部１２５ｂの後壁１２５ｂ−１、本体部１２５ｂに一体形成された第４リブ壁１２５ｄ−４、本体部１２５ｂに一体形成された第５リブ壁１２５ｄ−５、第３リブ壁１２５ｄ−３、及び蓋部材である。本体部１２５ｂの底壁は、第３共鳴空間の底壁を形成している。また、本体部１２５ｂの後壁１２５ｂ−１は、第３共鳴空間の後壁を形成している。また、第４リブ壁１２５ｄ−４は、第３共鳴空間の左側壁を形成している。また、第５リブ壁１２５−５は、第３共鳴空間の前壁を形成している。また、第３リブ壁１２５ｄ−３は、第３共鳴空間の右側壁を形成している。また、図示しない蓋部材は、第３共鳴空間の天井壁を形成している。後壁、左側壁、前壁及び右側壁で囲まれる領域の内側には、更に複数の内設リブ壁が設けられており、これらの内設リブ壁や前壁によって隔離小空間を形成することで、第３共鳴空間の内容量が調整されている。第３共鳴空間は、第３共鳴通路１３３ａを通じて、ヘルムホルツ前方空隙と繋がっている。
【００４０】
図４において、筺体１２５の本体部１２５ｂの左側壁１２５ｂ−２と、第３リブ壁１２５ｄ−３との間には、仕切り壁１２５ｃが繋がっている。この仕切り壁１２５ｃの高さは、左側壁１２５ｂ−２と同じ高さになっている。仕切り壁１２５ｃは、ポリゴンスキャナー１２０を収容するポリゴン収容空間の後壁として機能しているとともに、ポリゴン収容空間と、３つのヘルムホルツ吸音器（１３１〜１３３）を収容するヘルムホルツ収容空間とを仕切っている。これにより、ポリゴン収容空間と、共鳴器収容空間たるヘルムホルツ収容空間とは、互いに連通しない空間になっている。回転するポリゴンミラー４８やポリゴンモータ４９によってポリゴン収容空間内で発生した騒音は、仕切り壁１２５ｃとヘルムホルツ前方空隙とを介して、第１共鳴空間１３１ａの入口、第２共鳴空間１３２ａの入口、及び第３共鳴空間１３３ａの入口に到達する。
【００４１】
かかる構成においては、ポリゴン収容空間内で、回転するポリゴンミラー４８によって気流が発生したとしても、その気流は仕切り壁１２５ｃに遮られることから、ヘルムホルツ収容空間内に到達することがない。このため、前記気流により、ヘルムホルツ収容空間内に存在する第１共鳴空間１３１ａの入口、第２共鳴空間１３２ａの入口、及び第３共鳴空間１３３ａの入口で笛音様騒音を発生させてしまうことがそれぞれ防止される。よって、笛音様騒音による騒音の増大を回避することができる。更には、笛音様騒音を低減するための新たなヘルムホルツ吸音器を設けなくても、笛音様騒音の発生を防止することが可能であることから、新たなヘルムホルツ吸音器を設けることによるコストアップを回避することもできる。また、３つのヘルムホルツ吸音器のそれぞれの上壁を、蓋部材１２５ａによって兼用することで、低コスト化を図ることができる。更には、リブ壁をヘルムホルツ吸音器の側壁として兼用することによっても、低コスト化を図ることができる。
【００４２】
図８は、上記破断部を側方から示す斜視図である。同図において、蓋部材１２５ａの裏面には、弾性変形可能なシール部材１３５が貼り付けられている。蓋部材１２５ａが筺体１２５の本体部１２５ｂに取り付けられた状態では、第３ヘルムホルツ吸音器１３３の４つの立ち上がり壁と、蓋部材１２５ａとの間に、シール部材１３５が介在する。４つの立ち上がり壁は、具体的には、前壁、後壁、左側壁、及び右側壁である。それら４つの立ち上がり壁は、底壁に一体形成されているので、底壁との間に隙間を形成することがない。これに対し、蓋部材には一体形成されておらず、成形時に生じてしまう各部の寸法誤差等によっては、それら４つの壁が蓋部材１２５ａとの間に隙間を発生させることがある。この隙間が、発生すると、ヘルムホルツ吸音器を良好に共振させることができなくなって、吸音効率を低下させてしまうおそれがある。そこで、シール部材１３５により、隙間の発生を防止しているのである。
【００４３】
なお、図示しない第１ヘルムホルツ吸音器の４つの立ち上がり壁と蓋部材１２５ａとの間や、第２ヘルムホルツ吸音器の４つの立ち上がり壁と蓋部材１２５ａとの間にも、シール部材１３５が介在するようになっている。蓋部材１２５ａの裏面における全域のうち、３つのヘルムホルツ吸音器に対向する領域だけにシール部材１３５を貼り付けているが、仕切り壁（１２５ｃ）に対向する領域にも、シール部材１３５を貼り付けておくとよい。こうすることで、仕切り壁と蓋部材１２５ａとの隙間を介してのポリゴン収容空間からヘルムホルツ収容空間への気流の漏れを防止することが可能になる。
【００４４】
図９は、実施形態に係る複写機５００の一部を示す部分分解斜視図である。複写機５００の外装カバーの後板には、通気用開口が形成されており、この通気用開口はルーバー１５１によって覆われている。また、図１０に示されるように、複写機５００の外装カバーの後板における裏面には、排気ファン１５５が固定されており、機内の空気を吸引しながら、通気用開口に向けて排気している。これにより、機内空気が通気用開口とルーバー１５１のスリットとを介して機外に排出される仕組みになっている。このように排気を促すことで、機内温度の過剰な上昇を回避することができる。
【００４５】
ところが、ポリゴンスキャナー１２０で発生した騒音の一部が、ヘルムホルツ吸音器に吸音されずに、外装カバーの後板に設けられた通気用開口を介して機外に漏れてしまうおそれがある。そこで、実施形態に係る複写機５００においては、図９や図１０に示されるように、ヘルムホルツ吸音器を配設している。具体的には、偏向手段たるポリゴンスキャナー１２０と、外装カバーの後板に設けられた通気用開口との間に、第１ヘルムホルツ吸音器１３１、第２ヘルムホルツ吸音器１３２、及び第３ヘルムホルツ吸音器１３３を介在させている。これにより−＋、ポリゴンスキャナー１２０から通気用開口に向かった騒音を途中でヘルムホルツ吸音器に積極的に吸音させることで、通気用開口を介した騒音の漏れを抑えることができる。
【００４６】
以上に説明したものは一例であり、本発明は、次の態様毎に特有の効果を奏する。
［態様Ａ］
態様Ａは、駆動源（例えばポリゴンモーター４９）によって駆動した偏向鏡（例えばポリゴンミラー４８）により、光源（例えばレーザー光源１２７）から発せられる光の進行方向を偏向する偏向手段（例えばポリゴンスキャナー１２０）と、前記偏向手段から発せられる騒音を低減するための共鳴空間、及び前記共鳴空間の外から中に騒音を導くために前記共鳴空間に連通する共鳴通路（例えば１３１ａ、１３２ａ、１３３ａ）を具備する共鳴器（例えば第１ヘルムホルツ吸音器１３１、第２ヘルムホルツ吸音器１３２、第３ヘルムホルツ吸音器１３３）と、前記偏向手段及び前記共鳴器を収容する筺体（例えば筺体１２５）とを有し、前記偏向手段で偏向せしめた光によって走査対象を光走査する光走査装置（例えば光走査装置４７）において、前記筐体内で前記偏向手段を収容している空間である偏向手段収容空間（例えばポリゴン収容空間）と、前記筐体内で前記共鳴器を収容している空間である共鳴器収容空間（例えばヘルムホルツ収容空間）とを仕切り壁（例えば仕切り壁１２５ｃ）によって仕切り、前記偏向手段収容空間内で発生した騒音を前記仕切り壁と前記共鳴器収容空間内の空隙とを介して、前記共鳴器の共鳴通路の入口に到達させるようにしたことを特徴とするものである。
【００４７】
かかる構成において、偏向手段収容空間と共鳴器収容空間とを仕切っている仕切り壁が、偏向手段収容空間で発生した気流の共鳴器収容空間への流入を阻止する。これにより、偏向手段収容空間内で発生した気流による共鳴器の共鳴通路入口付近での笛音用騒音の発生が防止されるので、笛音様騒音による騒音の増大を回避することができる。更には、笛音様騒音を低減するための新たな共鳴器を設けなくても、笛音様騒音の発生を防止することが可能であることから、新たな共鳴器を設けることによるコストアップを回避することもできる。
【００４８】
［態様Ｂ］
態様Ｂは、態様Ａにおいて、前記筐体内で前記偏向手段を収容している空間と、前記筐体内で前記共鳴器を収容している空間とを互いに連通しない空間にしたことを特徴とするものである。かかる構成では、前者の空間から後者の空間への気流の進入を完全に遮断することで、笛音様騒音による騒音の増大を確実に回避することができる。
【００４９】
［態様Ｃ］
態様Ｃは、態様Ｂにおいて、前記筐体の立ち上がり壁の一部を、前記共鳴器の立ち上がり壁として兼用したことを特徴とするものである。かかる構成では、壁の兼用によって低コスト化を図ることができる。
【００５０】
［態様Ｄ］
態様Ｄは、態様Ｂ又はＣにおいて、前記筐体のリブ部材を、前記共鳴器の立ち上がり壁として兼用したことを特徴とするものである。かかる構成においても、壁の兼用によって低コスト化を図ることができる。
【００５１】
［態様Ｅ］
態様Ｅは、態様Ｂ〜Ｄの何れかにおいて、前記筐体として、保守点検用の開口を具備する本体部（例えば本体部１２５ｂ）、及び本体部の前記開口を閉じる蓋部材（例えば蓋部材１２５ａ）を有するものを用い、且つ、前記蓋部材と、前記共鳴器の立ち上がり壁との間に介在する弾性変形可能なシール部材（例えばシール部材１３５）を設けたことを特徴とするものである。かかる構成では、共鳴器の立ち上がり壁と蓋部材との隙間をシール部材で塞ぐことで、本体部や蓋部材の各部の寸法誤差によって共鳴器の立ち上がり壁と蓋部材との間に隙間が生ずることに起因する共鳴器の吸音効果の低下を回避することができる。
【００５２】
［態様Ｆ］
態様Ｆは、態様Ａ〜Ｅの何れかにおいて、前記共鳴器として、互いに共鳴周波数の異なる複数の共鳴器を設けるとともに、前記筐体内でそれら全ての共鳴器を収容している空間と、前記筐体内で前記偏向手段を収容している空間とを前記仕切り壁によって仕切ったことを特徴とするものである。かかる構成では、少なくとも、偏向鏡の１回転周期と同じ周波数の騒音と、偏向鏡の１面周期と同じ周期の騒音とをそれぞれ異なる共鳴器によって重点的に吸音することができる。
【００５３】
［態様Ｇ］
態様Ｇは、態様Ｆにおいて、複数の共鳴器について、前記共鳴空間の体積、前記共鳴通路の断面積、及び前記共鳴通路の長さのうち、少なくとも１つを互いに異ならせたことを特徴とするものである。かかる構成では、鏡面空間の体積、共鳴通路の断面積、鏡面通路の長さの少なくとも何れか１つを調整するという簡単な方法により、それぞれの共鳴器の共鳴周波数を異ならせることができる。
【００５４】
［態様Ｈ］
態様Ｈは、感光体（例えば感光体１０）と、光走査によって前記感光体に潜像を形成する光走査手段と、前記潜像を現像する現像手段（例えば現像装置１２）とを備える画像形成装置（例えば複写機５００）において、前記光走査手段として、請求項１乃至７の何れかに記載の光走査装置（例えば光走査装置４７）を用いたことを特徴とするものである。かかる構成では、光走査装置４７内で笛音様騒音を発生させてしまうことによる騒音の増大を回避しつつ、笛音様騒音を低減するための新たな共鳴器を設けることによるコストアップを回避することができる。
【００５５】
［態様Ｉ］
態様Ｉは、態様Ｈにおいて、前記偏向手段と、画像形成装置の外装カバーに設けられた通気用開口との間に、前記共鳴器を介在させたことを特徴とするものである。かかる構成では、光走査装置の偏向手段から外装カバーの通気用開口に向かった騒音を途中で共鳴器に積極的に吸音させることで、通気用開口を介した騒音の漏れを抑えることができる。
【符号の説明】
【００５６】
１０：感光体
１２：現像装置（現像手段）
４７：光走査装置
４８：ポリゴンミラー（偏向鏡）
４９：ポリゴンモーター（駆動源）
１２０：ポリゴンスキャナー（偏向手段）
１２５：筐体
１２５ａ：蓋部材
１２５ｂ：本体部
１２５ｃ：仕切り壁
１２７：レーザー光源（光源）
１３１：第１ヘルムホルツ吸音器（共鳴器）
１３１ａ：第１共鳴通路
１３２：第２ヘルムホルツ吸音器（共鳴器）
１３２ａ：第２共鳴通路
１３３：第３ヘルムホルツ吸音器（共鳴器）
１３３ａ：第３共鳴通路
１３５：シール部材
５００：複写機（画像形成装置）
【先行技術文献】
【特許文献】
【００５７】
【特許文献１】特開平６−５１２２８号公報
【図１】
2015215534.tif 000003
【図２】
2015215534.tif 000004
【図３】
2015215534.tif 000005
【図４】
2015215534.tif 000006
【図５】
2015215534.tif 000007
【図６】
2015215534.tif 000008
【図７】
2015215534.tif 000009
【図８】
2015215534.tif 000010
【図９】
2015215534.tif 000011
【図１０】
2015215534.tif 000012